(57)【要約】【課題】作業者や工具などの仮設足場側方からの落下防止を図ると共に、足場板の隙間からの落下もないようにする。【解決手段】矩形の横長起立壁板１と、その横長起立壁板１の下部にヒンジ９により回動可能に添設された横長踏板８と、横長起立壁板１の長手方向両端部に端部金具２を介して装着されたＵ字状挟持手段３とを有する足場用保護板１００である。また、足場２００を構築する建枠２０２の柱部材２０５を挟持して足場用保護板１００を足場２００に添設するＵ字状挟持手段３同士の離間寸法は、横長起立壁板１の両端にボルト６とナット７とで装着される端部金具２の取付位置の変更により調節可能とした。また、一方のＵ字状挟持手段３と他方のＵ字状挟持手段３とは、異なる高さに設けるようにした。【選択図】  図１
2005207061.tif 000002
【特許請求の範囲】
【請求項１】
安全性を高めるために仮設の足場に添設する足場用保護板であって、仮設の足場を構成する柱部材を挟持可能なＵ字状挟持手段が長手方向の両端部に設けられた横長起立壁板と、その横長起立壁板の下部に添設された横長踏板とを備えたことを特徴とする足場用保護板。
【請求項２】
横長踏板が横長起立壁板の下部に回動可能に添設されたことを特徴とする請求項１記載の足場用保護板。
【請求項３】
横長起立壁板の長手方向の一端に設けられたＵ字状挟持手段と、他端に設けられたＵ字状部材は異なる高さに設けられたことを特徴とする請求項１または２記載の足場用保護板。
【請求項４】
Ｕ字状挟持手段同士の間隔が変更可能にＵ字状挟持手段が横長起立壁板の端部に設けられたことを特徴とする請求項１〜３何れかに記載の足場用保護板。
【発明の詳細な説明】
【技術分野】
【０００１】
本発明は、建設工事現場などで使用される仮設の足場に添設して、作業者の転落、工具の落下・飛来などを防止し、作業者と第三者の安全を守るための足場用保護板に関する。
【背景技術】
【０００２】
建設業は事故リスクの高い業種の一つであり、労働災害の発生は事故に遭遇した当人ばかりでなく、家族や事業者、社会にとっても大きな損失である。
【０００３】
事故の原因としては、高所作業が多いため、例えば図４に示したような仮設の足場２００を構築し、その上で作業することが多くなるためである。それ故、例えば図５に示したように作業中に作業者が足場２００から足を滑らせて転落したり、手に持った物品や、足場２００に置いた工具２１０や資材などを誤って落下させ、下にいる図示しない第三者を死傷させることもある。
【０００４】
そのため、例えば図７に示したように、足場２００に添設して使用する足場用保護板（考案者は足場用幅木と呼称）１００Ｘが提案され、工具２１０や資材などの側方からの落下防止が図られている（例えば、特許文献１参照。）。
【０００５】
しかし、この特許文献１に提案された足場用保護板１００Ｘにおいては、足場板同士の隙間２０１からの工具や資材の落下防止は考慮されていない。すなわち、直径４２．４ｍｍの鋼管により構築され、建設工事で使用される建枠２０２には、労働安全衛生法施行令に定めがあり、その幅は標準の９００ｍｍと、簡易枠の６００ｍｍである。また、建枠２０２に載せて作業員の足場板とする床付布枠２０３にも同様の定めがあり、幅は２４０ｍｍと５００ｍｍである。
【０００６】
そのため、９００ｍｍ幅の建枠内寸法で幅が５００ｍｍと２４０ｍｍの床付布枠２０３を１枚づつ用いると、足場板となる床付布枠２０３同士の間の隙間２０１は１１７．６ｍｍとなり、６００ｍｍ幅の建枠内寸法で幅が５００ｍｍの床付布枠２０３を１枚用いると、５７．６ｍｍの隙間２０１が建枠２０２との間に生じる。
【０００７】
このような隙間２０１が足場２００に開口していると、イ）作業者が足を滑らせて転落する、ロ）手に持ったり、足場２００に置いた工具２１０などを誤って落下させ、下にいる第三者を死傷させる、ことなどが避けられない。
【０００８】
また、図８に示したように、バネ２０の弾性を利用してＵ字状挟持手段３Ｘが足場用保護板の本体部分から突出可能に設けて、足場用保護板１００Ｙを足場２００に添設する際の作業性の向上を図った考案もある（例えば、特許文献２参照。）。
【０００９】
しかし、この特許文献２に提案された足場用保護板１００Ｙにおいても、前記特許文献１に提案された足場用保護板１００Ｘの場合と同様、足場２００の隙間２０１からの工具２１０などの落下・飛来は考慮されていない。
【００１０】
また、特開２００２−２２７４０２、特開２００３−６４８６７、特開２００３−２３９５３０などにも足場用保護板に関する考案が提案されているが、これら何れの考案においても、前記特許文献１、２に提案された足場用保護板１００Ｘ、１００Ｙの場合と同様、足場２００の隙間２０１からの工具２１０などの落下・飛来は考慮されていない。
【００１１】
なお、労働安全衛生法施行令に定めがあり、直径４２．４ｍｍの鋼管により構築される建枠２０２においては、交叉筋交い２０４のスパンは１８００ｍｍと１８２９ｍｍの２種類が標準である。
【特許文献１】特開平１１−１４１１１６号公報
【特許文献２】特開平９−１５１５９９号公報
【発明の開示】
【発明が解決しようとする課題】
【００１２】
したがって、仮設足場の側方からの作業者や工具などの落下が防止できるだけでなく、足場板の隙間をなくし、それにより足場板の隙間からも工具などの落下がないようにする必要があり、それが解決すべき課題となっていた。
【課題を解決するための手段】
【００１３】
本発明は上記従来技術の課題を解決するため、安全性を高めるために仮設の足場に添設する足場用保護板において、仮設の足場を構成する柱部材を挟持可能なＵ字状挟持手段が長手方向の両端部に設けられた横長起立壁板と、その横長起立壁板の下部に添設された横長踏板とを備えたことを主要な特徴とする。
【発明の効果】
【００１４】
本発明によれば、横長起立壁板により側方への転落・落下を防止することができ、横長踏板により足場の隙間が封止され、隙間からの転落・落下も防止することができる。
【発明を実施するための最良の形態】
【００１５】
Ｕ字状挟持手段が長手方向の両端部に設けられた横長起立壁板と、横長起立壁板の下部に回動可能に添設された横長踏板とからなり、且つ、一方のＵ字状挟持手段と他方のＵ字状挟持手段とは異なる高さに、また、Ｕ字状挟持手段同士の間隔が変更可能にＵ字状挟持手段が横長起立壁板の端部に設けられた足場用保護板。
【実施例１】
【００１６】
本発明の第１の実施例を、主に図１〜図３に基づいて説明する。なお、理解を容易にするため、これらの図においても前記図面において説明した部分と同様の機能を有する部分には、同一の符号を付した。
【００１７】
本発明の足場用保護板１００においては、鋼、アルミニウム、プラスチック、木材などの適宜の素材により矩形に形成された横長起立壁板１の長手方向の両端部に、上下方向の寸法が横長起立壁板１のそれと同じに設けられた端部金具２が着脱可能に装着され、その端部金具２の端面に溶接・螺子止めなどの適宜の手段により固定されたＵ字状挟持手段３を介して、足場２００に着脱自在に取り付けられるように構成されている。
【００１８】
すなわち、端部金具２は水平断面がコ字状に形成され、その内側の凹み部２Ａに横長起立壁板１の長手方向の端部が挿入され、横長起立壁板１の端部側に横穿されたボルト穴４と、端部金具２に横穿されたボルト穴５とを一致させ、そのボルト穴にボルト６を挿し通し、突出したボルト先端の図示しない螺子にナット７を捩じ込んで横長起立壁板１と端部金具２とが連結されて一体化されている。
【００１９】
また、端部金具２の端面に固定されたＵ字状挟持手段３は、板厚が１ｍｍ程度の弾性を備えた鋼板などからなり、素材の弾性を利用してＵ字状の挟持部３Ａを押し拡げ、そこに足場２００を構築する建枠２０２の丸鋼管からなる柱部材２０５を押入することで、Ｕ字状挟持手段３により柱部材２０５を挟持して足場用保護板１００を足場２００に添設したり、柱部材２０５を挟持部３Ａから抜き出すことで足場用保護板１００を足場２００から取り外すことができるようになっている。なお、一方のＵ字状挟持手段３は端部金具２の端面の下部側に、他方のＵ字状挟持手段３は端部金具２の端面の上部側に片寄せて取り付けられている。
【００２０】
図３に示したように、横長起立壁板１の長手方向両端部それぞれに２個づつ設けられたボルト穴４は、上下に離間して横穿されている。一方、端部金具２のボルト穴５は、横長起立壁板１のボルト穴４の上下離間寸法と同じ寸法だけ上下に離間し、且つ、Ｕ字状挟持手段３が固定されている端部金具２の端面から異なる２部位、例えば２９ｍｍ離間して設けられ、交叉筋交い２０４の２９ｍｍ違いの２種類のスパンに適応可能となっている。
【００２１】
なお、本発明においては、必要に応じてＵ字状挟持手段３が固定された端部金具２の端面から近い部位に横穿されたボルト穴５には符号Ａを付し、Ｕ字状挟持手段３が固定された端部金具２の端面から遠い部位に横穿されたボルト穴５には符号Ｂを付して説明する。
【００２２】
したがって、横長起立壁板１のボルト穴４に端部金具２のボルト穴５Ａを一致させてボルト６とナット７とで横長起立壁板１と端部金具２とを連結・一体化すると、Ｕ字状挟持手段３同士の離間寸法は小さく、横長起立壁板１のボルト穴４に端部金具２のボルト穴５Ｂを一致させてボルト６とナット７とで横長起立壁板１と端部金具２とを連結・一体化すると、Ｕ字状挟持手段３同士の離間寸法は大きく、横長起立壁板１の一端においては横長起立壁板１のボルト穴４に端部金具２のボルト穴５Ａを一致させ、横長起立壁板１の他端においては横長起立壁板１のボルト穴４に端部金具２のボルト穴５Ｂを一致させてボルト６とナット７とで横長起立壁板１と端部金具２とを連結・一体化すると、Ｕ字状挟持手段３同士の離間寸法は中間となる（Ｕ字状挟持手段３同士の離間寸法が最小と中間となったときに、交叉筋交い２０４の２９ｍｍ違いの２種類のスパンに対応可能としても良いし、前記離間寸法が最小と中間となったとき、あるいは最小と最大になったときに、交叉筋交い２０４の２９ｍｍ違いの２種類のスパンに対応可能としても良い。）。
【００２３】
また、図示したように、横長起立壁板１の下部には矩形の横長踏板８が複数のヒンジ９により回動可能に添設されている。横長踏板８はＵ字状挟持手段３同士の離間寸法が最小となるように端部金具２が横長起立壁板１の両端部に取り付けられたときにも、端部金具２と干渉しない最大の長さに形成されている。また、横長踏板８の幅は、足場２００に生じる最大１１７．６ｍｍの間隙２０１を塞ぐことが可能に、１１７．６ｍｍよりは広幅、例えば１２０ｍｍに形成されている。
【００２４】
したがって、本発明の足場用保護板１００を建枠２０２に添着すると、足場２００の足元に横長起立壁板１が配設されるので、側方への作業者の転落、工具２１０や資材などの落下を防止することができる。また、横長踏板８により足場２００の隙間２０１が塞がれるので、隙間２０１からの工具２１０や資材の落下も防止することができる。
【００２５】
さらに、足場用保護板１００は横長起立壁板１と横長踏板８とがヒンジ９により一体化されているので、搬送時には１枚板としての荷作りが可能である。また、横長起立壁板１の両端のＵ字状挟持手段３は異なる高さに設けられているので、建枠２０２を挟んで足場用保護板１００を連続して設置するときにも、隣接する足場用保護板１００のＵ字状挟持手段３同士が干渉し合うことはなく、足場用保護板１００の着脱が容易に行える。
【００２６】
なお、本発明は上記実施例に限定されるものではないので、特許請求の範囲に記載の趣旨から逸脱しない範囲で各種の変形実施が可能である。
【００２７】
例えば、横長起立壁板１の一端にはボルト穴５Ａ、５Ｂを備えた端部金具２を、ボルト６とナット７とで着脱可能に取り付け、横長起立壁板１の他端にはＵ字状挟持手段３を直接または端部金具２を介して分離不能に取り付けるように構成することも可能である。
【００２８】
また、図１〜図３に示した構造の端部金具２を介さず、特許文献２に提案されたバネ２０の弾性力を利用してＵ字状挟持手段３同士の離間寸法の調整が可能に、横長起立壁板１の端部に取り付けるように構成することも可能である。
【００２９】
また、足場用保護板１００を構成する横長起立壁板１と横長踏板８とは、ヒンジ９により回動可能に連結するのではなく、回動不能な一体のものとして作製することも可能である。例えば、鋼やアルミニウムにより作製する場合は、平板状の部材を断面Ｌ字状に折り曲げ加工して作製しても良いし、プラスチックにより作製する場合は、射出成型などにより断面Ｌ字状に作製することができる。
【００３０】
なお、横長起立壁板１と横長踏板８をこのように断面Ｌ字状に一体的に作製するときには、横長踏板８は接続金具２と干渉しない状態に作製されれば良い。その場合、横長踏板８の幅は１２０ｍｍより大きく、例えば横長起立壁板１と同じ２００ｍｍの幅に作製すると、図６に例示した構造の搬送治具５０を用意すれば、その搬送治具５０に足場用保護板１００を伏せた状態で積載すると安定するので、多数積み重ねても組立場所や工事現場への搬送が容易になる。また、組立作業時などのヒンジ９破損の問題が解消される。
【図面の簡単な説明】
【００３１】
【図１】仮設足場に添設されて使用状態にある本発明の足場用保護板の説明図である。
【図２】本発明の足場用保護板を仮設足場に添設する要領を示す説明図である。
【図３】本発明の足場用保護板の説明図である。
【図４】仮設足場の説明図である。
【図５】仮設足場で発生する災害の説明図であり、（Ａ）は作業員の転落事故、（Ｂ）は工具などの落下・飛来状況を示す説明図である。
【図６】足場用保護板搬送用治具の説明図である。
【図７】従来の足場用保護板の説明図である。
【図８】従来の他の足場用保護板の説明図であり、（Ａ）はＵ字状挟持手段が突出した状況、（Ｂ）はＵ字状挟持手段が後退した状況を示す説明図である。
【符号の説明】
【００３２】
１  横長起立壁板
２  端部金具
２Ａ  凹み部
３  Ｕ字状挟持手段
３Ａ  挟持部
４  ボルト穴
５、５Ａ、５Ｂ  ボルト穴
６  ボルト
７  ナット
８  横長踏板
９  ヒンジ
２０  バネ
５０  搬送治具
１００、１００Ｘ、１００Ｙ  足場用保護板
２００  （仮設の）足場
２０１  隙間
２０２  建枠
２０３  床付布枠
２０４  交叉筋交い
２０５  柱部材
２１０  工具
【図１】
2005207061.tif 000003
【図２】
2005207061.tif 000004
【図３】
2005207061.tif 000005
【図４】
2005207061.tif 000006
【図５】
2005207061.tif 000007
【図６】
2005207061.tif 000008
【図７】
2005207061.tif 000009
【図８】
2005207061.tif 000010